(57)【要約】【課題】特定の期間だけ放送が行われるチャンネルの視聴に際し、ユーザの混乱や無駄な電力消費を招くことなく、ユーザが当該チャンネルの放送を見逃してしまうことを防止できる放送受信装置を提供する。【解決手段】記憶部１３５は、所定のチャンネルの情報を記憶し、判断手段は、予め定められたタイミングで、スキャン手段により、記憶部１３５に記憶された所定のチャンネルのスキャン処理を行って、当該所定のチャンネルのデジタル放送信号の受信の可否を判断する。また、チャンネルメモリ更新手段は、判断手段により所定のチャンネルのデジタル放送信号が受信可能であると判断された場合に、チャンネルメモリ１３４に所定のチャンネルの情報を追加するとともに、所定のチャンネルのデジタル放送信号が受信不可能であると判断された場合に、チャンネルメモリ１３４から当該所定のチャンネルの情報を削除する。【選択図】図１
2010283716.tif 000002
【特許請求の範囲】
【請求項１】
デジタル放送信号を受信可能なチャンネルを検出するスキャン処理を行うスキャン手段と、
前記スキャン手段による前記スキャン処理において検出されたチャンネルの情報を記憶するチャンネルメモリと、
所定のチャンネルの情報を記憶する記憶部と、
予め定められたタイミングで、前記スキャン手段により、前記記憶部に記憶された前記所定のチャンネルのスキャン処理を行い、当該所定のチャンネルのデジタル放送信号の受信の可否を判断する判断手段と、
前記判断手段により、前記所定のチャンネルのデジタル放送信号が受信可能であると判断された場合に、前記チャンネルメモリに当該所定のチャンネルの情報を追加するとともに、前記所定のチャンネルのデジタル放送信号が受信不可能であると判断された場合に、当該チャンネルメモリから当該所定のチャンネルの情報を削除するチャンネルメモリ更新手段と、
を備えることを特徴とする放送受信装置。
【請求項２】
デジタル放送信号を受信可能なチャンネルを検出するスキャン処理を行うスキャン手段と、
前記スキャン手段による前記スキャン処理において検出されたチャンネルの情報を記憶するチャンネルメモリと、
所定のチャンネルの情報を記憶する記憶部と、
予め定められたタイミングで、前記スキャン手段により、前記記憶部に記憶された前記所定のチャンネルのスキャン処理を行い、当該所定のチャンネルのデジタル放送信号の受信の可否を判断する判断手段と、
前記判断手段により、前記所定のチャンネルのデジタル放送信号が受信可能であると判断された場合に、前記チャンネルメモリに当該所定のチャンネルの情報を追加するとともに、前記所定のチャンネルのデジタル放送信号が受信不可能であると判断された場合に、当該チャンネルメモリから当該所定のチャンネルの情報を削除するチャンネルメモリ更新手段と、
前記チャンネルメモリ更新手段により、前記チャンネルメモリに前記所定のチャンネルの情報が追加された場合に、当該所定のチャンネルが選局可能である旨をユーザに通知するとともに、前記チャンネルメモリから前記所定のチャンネルの情報が削除された場合に、当該所定のチャンネルが選局不可能である旨をユーザに通知する通知手段と、
を備えることを特徴とする放送受信装置。
【発明の詳細な説明】
【技術分野】
【０００１】
本発明は、放送受信装置に関する。
【背景技術】
【０００２】
従来、テレビジョン放送信号の受信を行う放送受信装置では、ユーザがチャンネルを選択した際に、選択されたチャンネルの視聴を素早く開始できるように、予め、その放送受信装置において受信可能なチャンネルを検出するスキャン処理を実行し、受信可能なチャンネルの情報（例えば、周波数データ等）をチャンネルメモリに記憶しておくことが行われている。
こうしたスキャン処理は、放送信号の物理チャンネルの昇順又は降順で行われることが多いが、予め定められた優先順位にしたがってスキャン処理を実施する受信装置も知られている（例えば、特許文献１参照）。
【先行技術文献】
【特許文献】
【０００３】
【特許文献１】特開平８−１９５９１４号公報
【発明の概要】
【発明が解決しようとする課題】
【０００４】
ところで、一部の地域では、特定の期間だけ放送が行われる特殊なチャンネルが存在する。このチャンネルでは、放送を行わない期間中は、放送信号自体が完全停波されるため、放送を行わない期間中にチャンネルを選局しても、画面上には何ら表示されないこととなる。
そのため、このチャンネルを常にチャンネルメモリに記憶したままとしておくと、放送が行われていないにも関らず、チャンネルを選局できることとなり、ユーザの混乱を招く可能性があるとともに、無駄な電力消費につながってしまうという問題があった。一方、このチャンネルをチャンネルメモリから削除しておくと、このチャンネルで放送が行われている場合に、ユーザが放送を見逃してしまうという問題があった。
【０００５】
本発明の課題は、特定の期間だけ放送が行われるチャンネルの視聴に際し、ユーザの混乱や無駄な電力消費を招くことなく、ユーザが当該チャンネルの放送を見逃してしまうことを防止できる放送受信装置を提供することである。
【課題を解決するための手段】
【０００６】
前記課題を解決するために、請求項１に記載の発明は、放送受信装置において、
デジタル放送信号を受信可能なチャンネルを検出するスキャン処理を行うスキャン手段と、
前記スキャン手段による前記スキャン処理において検出されたチャンネルの情報を記憶するチャンネルメモリと、
所定のチャンネルの情報を記憶する記憶部と、
予め定められたタイミングで、前記スキャン手段により、前記記憶部に記憶された前記所定のチャンネルのスキャン処理を行い、当該所定のチャンネルのデジタル放送信号の受信の可否を判断する判断手段と、
前記判断手段により、前記所定のチャンネルのデジタル放送信号が受信可能であると判断された場合に、前記チャンネルメモリに当該所定のチャンネルの情報を追加するとともに、前記所定のチャンネルのデジタル放送信号が受信不可能であると判断された場合に、当該チャンネルメモリから当該所定のチャンネルの情報を削除するチャンネルメモリ更新手段と、
を備えることを特徴とする。
【０００７】
請求項２に記載の発明は、放送受信装置において、
デジタル放送信号を受信可能なチャンネルを検出するスキャン処理を行うスキャン手段と、
前記スキャン手段による前記スキャン処理において検出されたチャンネルの情報を記憶するチャンネルメモリと、
所定のチャンネルの情報を記憶する記憶部と、
予め定められたタイミングで、前記スキャン手段により、前記記憶部に記憶された前記所定のチャンネルのスキャン処理を行い、当該所定のチャンネルのデジタル放送信号の受信の可否を判断する判断手段と、
前記判断手段により、前記所定のチャンネルのデジタル放送信号が受信可能であると判断された場合に、前記チャンネルメモリに当該所定のチャンネルの情報を追加するとともに、前記所定のチャンネルのデジタル放送信号が受信不可能であると判断された場合に、当該チャンネルメモリから当該所定のチャンネルの情報を削除するチャンネルメモリ更新手段と、
前記チャンネルメモリ更新手段により、前記チャンネルメモリに前記所定のチャンネルの情報が追加された場合に、当該所定のチャンネルが選局可能である旨をユーザに通知するとともに、前記チャンネルメモリから前記所定のチャンネルの情報が削除された場合に、当該所定のチャンネルが選局不可能である旨をユーザに通知する通知手段と、
を備えることを特徴とする。
【発明の効果】
【０００８】
本発明によれば、特定の期間だけ放送が行われるチャンネルについて、放送が行われている期間のみ当該チャンネルを選局することが可能となり、放送が行われていない期間におけるユーザの混乱や無駄な電力消費を防ぐことができるとともに、放送期間中にユーザが放送を見逃すことを防止することができる。
【図面の簡単な説明】
【０００９】
【図１】本発明に係る本実施形態の放送受信装置の要部構成を示すブロック図である。
【図２】探索チャンネルについて実行されるスキャン処理の流れを示すフローチャートである。
【図３】探索チャンネルが選局可能である旨を通知するための画面の一例である。
【図４】探索チャンネルが選局不可能である旨を通知するための画面の一例である。
【発明を実施するための形態】
【００１０】
以下、本発明に係る実施の形態について、図面を参照しながら説明する。なお、本発明の範囲は、以下の実施例及び図示例に限定されるものではない。
【００１１】
本実施形態の放送受信装置１００は、例えば、デジタルテレビジョン放送信号の受信を行うテレビジョン受像機であり、図１に示すように、ユーザが各種指示を入力するリモートコントローラ（以下、「リモコン」と称する）１と、リモコン１により遠隔操作される装置本体２と、を備えて構成される。
【００１２】
リモコン１は、ユーザが装置本体２に対して各種指示を入力するための複数の釦を備える。例えば、リモコン１には、電源釦、番組表表示釦、ワンタッチ釦として機能する数字釦、入力切換釦、音声切換釦、戻る釦、上下左右の釦から成るカーソル釦、決定釦、チャンネルアップ／ダウン釦、ボリュームアップ／ダウン釦（何れも図示せず）等が備わる。
これらの釦の各々には予め識別情報が割り当てられ、所定の記憶領域に記憶されている。そして、ユーザにより釦の操作が行われると、操作された釦の識別情報が読み出されて、読み出された識別情報に対応するリモコン信号が生成され、生成されたリモコン信号が図示しない送信部から送信されるようになっている。
【００１３】
装置本体２は、リモコン信号受光部３、アンテナ４、チューナ５、復調部６、デコーダ部７、映像処理部８、音声処理部９、ＯＳＤ回路１０、表示部１１、音声出力部１２、制御部１３等を備えている。
【００１４】
リモコン信号受光部３は、フォトダイオード、ＳＵＢＣＰＵ、増幅部、復調部、デコーダ（いずれも図示せず）等を備えて構成されている。ＳＵＢＣＰＵは、リモコン１から送信されたリモコン信号を、装置本体２の前面パネルに設けられたフォトダイオードにおいて受信すると、受信したリモコン信号を増幅部により増幅させ、復調部において復調させ、デコーダにより波形整形、誤り訂正等の各種処理を行わせた後に、制御部１３に出力する。制御部１３では、入力されたリモコン信号から識別情報を取得し、取得した識別情報に基づいて操作された釦の判別を行う。
【００１５】
アンテナ４は、屋外において所定の方角に向けて配置され、放送局側から発信される高周波のデジタル放送信号を受信する。
【００１６】
チューナ５は、制御部１３からの選局指示にしたがって、アンテナ４等により入力された高周波信号のデジタル放送信号の中から特定周波数帯の信号を抽出し、中間周波信号（IF信号）に変換した後、ＡＤ変換等を行い、復調部６に出力する。
また、チューナ５は、放送受信装置１００の購入時や引越し後等に実行される初期スキャン処理や、後述する判断プログラム１３６ａの実行におけるスキャン処理において、制御部１３からの指示に従って、対象となる周波数帯域を走査して、受信可能なチャンネルを検出する。これにより、チューナ５は、制御部１３のＣＰＵ１３１とともに、本発明のスキャン手段を構成する。チューナ５におけるスキャン処理の結果は、制御部１３に出力され、後述するチャンネルメモリ１３４において記憶されることとなる。
【００１７】
復調部６は、例えば、制御部１３からの制御に基づいて、チューナ５において選局されたチャンネルの信号に対してデジタル復調や誤り訂正等の処理を実行し、トランスポートストリーム（ＴＳ：Transport Stream）を生成して、デコーダ部７に出力する。
【００１８】
デコーダ部７は、分離部（Demultiplexer）７１、ビデオデコーダ７２、オーディオデコーダ７３、データデコーダ７４等を備えて構成されている。
【００１９】
分離部７１は、復調部６から入力されるＴＳを、ビデオストリーム、オーディオストリーム、ＰＳＩ／ＳＩ等の複数のストリームに分離する。そして、ＰＳＩに基づいて必要なＴＳパケットを取得し、ビデオストリームをビデオデコーダ７２に、オーディオストリームをオーディオデコーダ７３に出力する。さらに、分離部７１は、番組情報（ＳＩ）等のデータをデータデコーダ７４に出力する。
【００２０】
ビデオデコーダ７２は、分離部７１から入力されるビデオストリームに可変長復号化、逆量子化、逆ＤＣＴ（Discrete Cosine Transform）、動き補正等の各種処理を行うことで、ビデオストリームをＤＴＳ（Decoding Time Stamp）に応じたタイミングで復号し、映像データを生成して映像処理部８に出力する。
オーディオデコーダ７３は、分離部７１から入力されるオーディオストリームを復号し、音声データを生成して音声処理部９に出力する。
データデコーダ７４は、分離部７１から入力されるデータを復号し、必要な情報を取得して制御部１３に供給する。
【００２１】
映像処理部８は、ビデオデコーダ７２から入力された映像データに対して各種映像処理を施し、映像信号を生成する。生成された映像信号は、フレームメモリ（図示略）に一旦格納された後、ＰＴＳ（Presentation Time Stamp）に応じた再生タイミングで、表示部１１に出力される。
音声処理部９は、オーディオデコーダ７３から入力された音声データに対して各種音声処理を施して音声信号を生成し、ＰＴＳに応じた再生タイミングで、音声出力部１２に出力する。
【００２２】
ＯＳＤ回路１０は、制御部１３からの制御にしたがって、ＯＳＤ表示用データを生成し、生成したＯＳＤ表示用データを、映像処理部８から出力される映像信号に重畳して、表示部１１にＯＳＤ表示させる。
【００２３】
表示部１１は、ＬＣＤ（Liquid Crystal Display）、ＰＤＰ（Plasma Display Panel）、有機ＥＬ（Electro Luminescence）ディスプレイ等のディスプレイ（図示省略）を備えて構成され、映像処理部８から入力された映像信号に基づく映像をディスプレイに表示させる。また、表示部１１は、後述する通知プログラム１３６ｃの実行において、探索チャンネル（後述）の選局の可否をユーザに通知するための表示を行う。
音声出力部１２は、スピーカ（図示省略）等を備えて構成され、音声処理部９から入力された音声信号に基づく音声を増幅して、スピーカから出力する。
【００２４】
制御部１３は、ＣＰＵ（Central Processing Unit）１３１、ＲＡＭ（Random Access Memory）１３２、計時部１３３、チャンネルメモリ１３４、記憶部１３５、ＲＯＭ（Read Only Memory）１３６等を備えて構成され、放送受信装置１００の各部を制御する。
【００２５】
ＣＰＵ１３１は、各部から入力された入力信号に応じて、ＲＯＭ１３６に格納された処理プログラム等を読み出してＲＡＭ１３２に展開して実行し、装置本体２の各部に出力信号を出力することにより、放送受信装置１００全体の制御を行う。
【００２６】
ＲＡＭ１３２は、ＣＰＵ１３１により実行される各種プログラムを展開するプログラム格納領域や、入力データやこれらの処理プログラムが実行される際に生じる処理結果等を格納するデータ格納領域を備え、ＣＰＵ１３１のワークエリアとして用いられる。
【００２７】
計時部１３３は、計時処理を行って放送受信装置１００全体の基準時刻を発生する。
【００２８】
チャンネルメモリ１３４は、不揮発性メモリにより構成され、チューナ５におけるスキャン処理により検出された、本放送受信装置１００において受信可能な放送チャンネルの物理チャンネルや周波数データ等を記憶する。チャンネルメモリ１３４に記憶されたこれらのチャンネルは、ユーザがリモコン操作により選択することでチューナ５により選局され、番組の視聴が可能となる。
【００２９】
記憶部１３５は、不揮発性メモリにより構成され、特定の期間のみ放送が行われる所定のチャンネル（以下、「探索チャンネル」と称する）について、その物理チャンネルや周波数データ等の情報を、上記チャンネルメモリ１３４とは別個独立に記憶している。この情報は、後述する判断プログラム１３６ａの実行において探索チャンネルのスキャン処理が行われる際に参照される。
【００３０】
ＲＯＭ１３６は、処理プログラムやデータ等を予め記憶しており、例えば、判断プログラム１３６ａ、チャンネルメモリ更新プログラム１３６ｂ、通知プログラム１３６ｃ等が格納されている。
【００３１】
判断プログラム１３６ａは、ＣＰＵ１３１に、予め定められたタイミングで、スキャン手段としてのチューナ５により、記憶部１３５に記憶された探索チャンネルのスキャン処理を行い、探索チャンネルのデジタル放送信号の受信の可否を判断する機能を実現させるためのプログラムである。本実施形態では、かかる判断プログラム１３６ａ、ＣＰＵ１３１により、判断手段が構成される。
【００３２】
チャンネルメモリ更新プログラム１３６ｂは、ＣＰＵ１３１に、判断プログラム１３６ａの実行において、探索チャンネルのデジタル放送信号が受信可能であると判断された場合に、チャンネルメモリ１３４に探索チャンネルの情報を追加するとともに、探索チャンネルのデジタル放送信号が受信不可能であると判断された場合に、チャンネルメモリ１３４から探索チャンネルの情報を削除する機能を実現させるためのプログラムである。本実施形態では、かかる判断プログラム１３６ａ、ＣＰＵ１３１により、チャンネルメモリ更新手段が構成される。
【００３３】
通知プログラム１３６ｃは、ＣＰＵ１３１に、チャンネルメモリ更新プログラム１３６ｂの実行において、チャンネルメモリ１３４に探索チャンネルの情報が追加された場合に、探索チャンネルが選局可能である旨をユーザに通知するとともに、チャンネルメモリ１３４から探索チャンネルの情報が削除された場合に、探索チャンネルが選局不可能である旨をユーザに通知する機能を実現させるためのプログラムである。本実施形態では、かかる通知プログラム１３６ｃ、ＣＰＵ１３１、表示部１１により、通知手段が構成される。
【００３４】
ここで、上述の判断プログラム１３６ａ、チャンネルメモリ更新プログラム１３６ｂ、通知プログラム１３６ｃの実行により、探索チャンネルについて実行されるスキャン処理について、図２のフローチャートを参照しながら説明する。
【００３５】
まず初めに、ＣＰＵ１３１は、ステップＳ１において、予め定められたタイミングの到来を監視する。ここで、予め定められたタイミングとは、例えば、視聴終了後の電源オフ操作によって放送受信装置１００がスタンバイモードに移行したタイミングや、所定時間（例えば、１時間、３時間、６時間、１２時間、２４時間）毎のタイミング等である。また、ユーザが探索チャンネルのスキャン処理の実行を指示した場合や、電源オン操作が行われたタイミング等であっても良い。なお、ユーザがリモコン１上で探索チャンネルを選択する操作を、探索チャンネルのスキャン処理の実行を指示する操作とすることも可能である。
【００３６】
ＣＰＵ１３１は、ステップＳ１において、予め定められたタイミングが到来したと判断すると（ステップＳ１；Ｙｅｓ）、ステップ２において、探索チャンネルについてスキャン処理を実行する。探索チャンネルについてのスキャン処理の実行において、ＣＰＵ１３１は、記憶部１３５から、探索チャンネルの周波数データ等を読み出して、チューナ５を探索チャンネルの周波数に同調させる。そして、ステップＳ３において、チューナ５を探索チャンネルの周波数に同調させた状態で、フロントエンドのロックの有無や受信Ｃ／Ｎに基づいて、探索チャンネルのデジタル放送信号が受信可能であるか否かを判断する。
【００３７】
ＣＰＵ１３１は、探索チャンネルのデジタル放送信号が受信可能であると判断すると（ステップＳ３；Ｙｅｓ）、ステップＳ４に進み、探索チャンネルの情報がチャンネルメモリ１３４に記憶されていない場合には、探索チャンネルの物理チャンネルや周波数データ等の情報を、チャンネルメモリ１３４に追加する。
これにより、ユーザがリモコン１を操作して探索チャンネルを選択すると、チューナ５が探索チャンネルを選局して、探索チャンネルのデジタル放送信号が受信されることとなり、探索チャンネルの視聴が可能となる。
さらに、ステップＳ５において、ＣＰＵ１３１は、図３に示すように、探索チャンネルが選局可能である旨（例えば、「チャンネル○○が選局できます」等）を、表示部１１にＯＳＤ表示してユーザに通知し、本処理を終了する。
【００３８】
一方、ステップＳ３において、ＣＰＵ１３１は、探索チャンネルのデジタル放送信号が受信不可能であると判断すると（ステップＳ３；Ｎｏ）、ステップＳ６に進み、探索チャンネルの情報がチャンネルメモリ１３４に記憶されている場合には、チャンネルメモリ１３４から探索チャンネルの物理チャンネルや周波数データ等の情報を削除する。
これにより、ユーザがリモコン１を操作して探索チャンネルを選択しても、チャンネルメモリ１３４に探索チャンネルの情報が無いため、チューナ５によって探索チャンネルの選局は実行されないこととなる。
さらに、ステップＳ７において、ＣＰＵ１３１は、図４に示すように、探索チャンネルが選局不可能である旨（例えば、「チャンネル○○は選局できません」等）を、表示部１１にＯＳＤ表示してユーザに通知し、本処理を終了する。
【００３９】
なお、チャンネルメモリ１３４に探索チャンネルの情報が追加／削除されたタイミングのみ、探索チャンネルの選局の可否をユーザに通知することとしても良いが、探索チャンネルについてスキャン処理を実行する度に、探索チャンネルの選局の可否をユーザに通知することとしても良い。さらに、電源オン時や所定時間毎のタイミングで、探索チャンネルの選局の可否を通知するように構成することも可能である。
【００４０】
以上説明した本実施形態の放送受信装置１００によれば、デジタル放送信号を受信可能なチャンネルを検出するスキャン処理を行うスキャン手段（チューナ５、ＣＰＵ１３１）と、スキャン手段（チューナ５、ＣＰＵ１３１）によるスキャン処理において検出されたチャンネルの情報を記憶するチャンネルメモリ１３４と、探索チャンネル（所定のチャンネル）の情報を記憶する記憶部１３５と、が備わり、判断手段（判断プログラム１３６ａ、ＣＰＵ１３１）により、予め定められたタイミングで、スキャン手段（チューナ５、ＣＰＵ１３１）により、記憶部１３５に記憶された探索チャンネル（所定のチャンネル）のスキャン処理が行われて、当該探索チャンネル（所定のチャンネル）のデジタル放送信号の受信の可否が判断される。また、チャンネルメモリ更新手段（チャンネルメモリ更新プログラム１３６ｂ、ＣＰＵ１３１）により、判断手段（判断プログラム１３６ａ、ＣＰＵ１３１）により探索チャンネル（所定のチャンネル）のデジタル放送信号が受信可能であると判断された場合に、チャンネルメモリ１３４に当該探索チャンネル（所定のチャンネル）の情報が追加されるとともに、探索チャンネル（所定のチャンネル）のデジタル放送信号が受信不可能であると判断された場合に、当該チャンネルメモリ１３４から当該探索チャンネル（所定のチャンネル）の情報が削除される。
したがって、チャンネルメモリ１３４において、所定のチャンネルの情報が、当該チャンネルのデジタル放送信号が受信可能な場合のみ追加されることとなり、特定の期間だけ放送が行われるチャンネルについて、放送が行われている期間のみ当該チャンネルを選局することが可能となる。これにより、放送が無いにも関らず、常に当該チャンネルをチャンネルメモリ１３４に記憶させたままとした場合のユーザの混乱や、当該チャンネルの選局処理にかかる無駄な電力消費を防ぐことができる。また、放送が有るにも関らず、所定のチャンネルの情報をチャンネルメモリ１３４から削除したままとした場合において、ユーザが当該チャンネルの存在を把握できず、当該チャンネルの放送を見逃してしまうことを防止することができる。
【００４１】
さらに、通知手段（通知プログラム１３６ｃ、ＣＰＵ１３１、表示部１１）により、チャンネルメモリ更新手段（チャンネルメモリ更新プログラム１３６ｂ、ＣＰＵ１３１）によりチャンネルメモリ１３４に探索チャンネル（所定のチャンネル）の情報が追加された場合に、当該探索チャンネル（所定のチャンネル）が選局可能である旨がユーザに通知されるとともに、チャンネルメモリ１３４から探索チャンネル（所定のチャンネル）の情報が削除された場合に、当該探索チャンネル（所定のチャンネル）が選局不可能である旨がユーザに通知される。
これにより、所定のチャンネルにおける放送の有無を、ユーザが容易且つ明確に認識することができ、放送が無いにも関らず所定のチャンネルの選択を試みたり、放送が有ることを認識できずに放送を見逃してしまうことを、より確実に防止することができる。
【００４２】
なお、本発明の範囲は、上記実施形態に限られることなく、本発明の趣旨を逸脱しない範囲において種々の改良並びに設計の変更を行っても良い。
【００４３】
例えば、所定のチャンネルが受信可能であった場合に、所定のチャンネルの情報をチャンネルメモリ１３４に追加するか否かをユーザに選択させる手段を備えていても良い。
【００４４】
また、特定の期間のみ放送が行われるチャンネルの各々について、所定のチャンネルとして設定するか否かを、予めユーザに選択させる手段を備えていても良い。
また、所定のチャンネルの各々について、スキャン処理を実行するタイミングをユーザに選択させる手段を備えていても良い。
【００４５】
また、図３や図４は、所定のチャンネルの選局の可否をユーザに通知する手段の一例に過ぎず、例えば、ＥＰＧ番組表における表示や、音声アナウンス、ＬＥＤの点灯等により、所定のチャンネルの選局の可否を通知するように構成することも可能である。
また、チャンネルメモリ１３４に所定のチャンネルの情報が記憶されていない場合において、ユーザがリモコン１上で当該所定のチャンネルを選択すると、所定のチャンネルが選択不可能である旨を通知する手段を備えていても良い。
【００４６】
また、その他、本発明が上記の実施形態に限定されず、適宜変更可能であることはいうまでもない。
【符号の説明】
【００４７】
１００    放送受信装置
５        チューナ（スキャン手段）
１１      表示部（通知手段）
１３１    ＣＰＵ（スキャン手段、判断手段、チャンネルメモリ更新手段、通知手段）
１３４    チャンネルメモリ
１３５    記憶部
１３６ａ  判断プログラム（判断手段）
１３６ｂ  チャンネルメモリ更新プログラム（チャンネルメモリ更新手段）
１３６ｃ  通知プログラム（通知手段）
【図１】
2010283716.tif 000003
【図２】
2010283716.tif 000004
【図３】
2010283716.tif 000005
【図４】
2010283716.tif 000006